(57)【要約】  【課題】  基礎を不要として設置費用や設置時間を抑えられると共に、移設も容易な仮設式の太陽光発電機を提供する。  【解決手段】  少なくとも三脚以上の脚部２を有する支持体３と、この支持体３上部に固着した軸受４に回動自在に軸支した垂直パイプ５と、この垂直パイプ５の略中間部に固着した枢支具６に回動自在に枢支した水平パイプ７と、この水平パイプ７の両側に左右対称に取り付けた太陽光発電パネル８と、前記垂直パイプ５と水平パイプ７とを回動させる駆動モータとを備える。そして、前記駆動モータの手動又は自動駆動によって前記太陽光発電パネル８を回動し、発電出力が最大となる方向に向きを調整する。【選択図】  図１
0003209083.tif 000002
【実用新案登録請求の範囲】
【請求項１】
少なくとも三脚以上の脚部を有する支持体と、該支持体上部に固着した軸受に回動自在に軸支した垂直パイプと、該垂直パイプの略中間部に固着した枢支具に回動自在に枢支した水平パイプと、該水平パイプの両側に左右対称に取り付けた太陽光発電パネルと、前記垂直パイプと水平パイプとを回動させる駆動モータとを備え、該駆動モータの手動又は自動駆動によって前記太陽光発電パネルを回動して発電出力が最大となる方向に向きを変えられるようにしたことを特徴とする太陽光発電機。
【請求項２】
前記支持体の上部周囲に複数のワイヤー固定金具を備え、該ワイヤー固定金具にワイヤーの一端部を係止する一方、該ワイヤーの他端部をワイヤー張設用のターンバックルを介して支持体周囲の地面に打ち込んだ固定杭に係止したことを特徴とする請求項１記載の太陽光発電機。
【考案の詳細な説明】
【技術分野】
【０００１】
本考案は、太陽光発電機に関し、特に仮設式の太陽光発電機に関する。
【背景技術】
【０００２】
従来、太陽光を利用して発電する太陽光発電機として、例えば、地面に垂直に立設した鋼製の支柱の頂部に太陽光発電パネルを取り付け、該太陽光発電パネルの上部受光面に太陽光を当てて発電を行うようにしたものがある（特許文献１、２参照）。
【先行技術文献】
【特許文献】
【０００３】
【特許文献１】特開２０１６−５３０３号公報
【特許文献２】特開２０１６−１０３９５２号公報
【考案の概要】
【考案が解決しようとする課題】
【０００４】
しかしながら、上記従来装置では、それなりのサイズ及び重量を有する太陽光発電パネルを支持する支柱には相当な荷重が掛かる上、荒天時の風雨等の影響も考慮すると、それらに十分耐えられるだけの比較的しっかりとした基礎を要し、設置費用の高騰や設置に時間が掛かるといった懸念がある。また、上記装置を一度設置するとその後の移設は困難であり、例えば、利用場所の変更といった要望があっても柔軟に対応することは難しい。
【０００５】
本考案は上記の点に鑑み、基礎を不要として設置費用や設置時間を抑えられると共に、移設も容易な仮設式の太陽光発電機を提供することを課題とする。
【課題を解決するための手段】
【０００６】
上記の課題を解決するために、本考案に係る請求項１記載の太陽光発電機では、少なくとも三脚以上の脚部を有する支持体と、該支持体上部に固着した軸受に回動自在に軸支した垂直パイプと、該垂直パイプの略中間部に固着した枢支具に回動自在に枢支した水平パイプと、該水平パイプの両側に左右対称に取り付けた太陽光発電パネルと、前記垂直パイプと水平パイプとを回動させる駆動モータとを備え、該駆動モータの手動又は自動駆動によって前記太陽光発電パネルを回動して発電出力が最大となる方向に向きを変えられるようにしたことを特徴としている。
【０００７】
また、請求項２記載の太陽光発電機では、前記支持体の上部周囲に複数のワイヤー固定金具を備え、該ワイヤー固定金具にワイヤーの一端部を係止する一方、該ワイヤーの他端部をワイヤー張設用のターンバックルを介して支持体周囲の地面に打ち込んだ固定杭に係止したことを特徴としている。
【考案の効果】
【０００８】
本考案に係る請求項１記載の太陽光発電機によれば、少なくとも三脚以上の脚部を有する支持体と、該支持体上部に固着した軸受に回動自在に軸支した垂直パイプと、該垂直パイプの略中間部に固着した枢支具に回動自在に枢支した水平パイプと、該水平パイプの両側に左右対称に取り付けた太陽光発電パネルと、前記垂直パイプと水平パイプとを回動させる駆動モータとを備え、該駆動モータの手動又は自動での駆動によって前記太陽光発電パネルを回動して発電出力が最大となる方向に向きを変えられるようにしたので、基礎を不要として比較的簡単に設置でき、設置費用や設置時間を抑えられると共に、設置後の移設も容易に行えて便利である。また、太陽の位置方向に合わせて太陽光発電パネルの受光面を適宜調整でき、仮設式の簡易な太陽光発電機でありながら効率よく発電できる。
【０００９】
また、請求項２記載の太陽光発電機によれば、前記支持体の上部周囲に複数のワイヤー固定金具を備え、該ワイヤー固定金具にワイヤーの一端部を係止する一方、該ワイヤーの他端部をワイヤー張設用のターンバックルを介して支持体周囲の地面に打ち込んだ固定杭に係止したので、不整地等へでも比較的簡単にかつしっかりと固定支持でき、荒天時の風雨等を受けても転倒することなく十分に耐え得る。
【図面の簡単な説明】
【００１０】
【図１】本考案に係る太陽光発電機の一実施例を示す正面図である。
【図２】図１の太陽光発電機において、強風時に太陽光発電パネルを水平位置に倒伏させた状態を示す側面図である。
【図３】図１の要部拡大図である。
【考案を実施するための形態】
【００１１】
本考案に係る太陽光発電機にあっては、例えば不整地等にも立設可能なように下端部に略矩形状のベース板を具備した少なくとも三脚以上の脚部を有する支持体と、該支持体上部に固着した軸受に回動自在に軸支した垂直パイプと、該垂直パイプの略中間部に固着した枢支具に回動自在に枢支した水平パイプと、該水平パイプの両側に左右対称に取り付けた太陽光発電パネルとを備える。また、前記垂直パイプと水平パイプとを回動させる駆動モータを備える。
【００１２】
前記駆動モータは手動又は自動にて駆動可能とし、前記垂直パイプと水平パイプとをそれぞれ適宜回動させることにより、前記水平パイプに取り付けた太陽光発電パネルの向きをその発電出力が最大となる方向、即ち太陽光発電パネルの受光面を太陽の現在位置に正対させられるように調整可能としている。
【００１３】
また、好ましくは、前記支持体の上部周囲に複数のワイヤー固定金具を備え、該ワイヤー固定金具にワイヤーの一端部を係止する一方、該ワイヤーの他端部をワイヤー張設用のターンバックルを介して前記支持体周囲の地面に打ち込んだ固定杭に係止する構成としてもよい。上記構成を採用すれば、不整地等へ設置する場合でも比較的簡単にかつしっかりと固定支持でき、例え荒天時の風雨等に晒されても転倒することなく十分に耐え得る。また、前記ワイヤー他端部のターンバックルを緩めればワイヤーの緊張状態を簡単に解除でき、設置後の移設等も比較的容易に行える。
【００１４】
このように、本考案の太陽光発電機では、設置に際して基礎を必要とせず、それによって設置費用や設置時間を抑えることができると共に、一旦設置した後でも容易に移設でき、例えば、イベント会場や被災地等での一時的な電力源としても好適に利用できる。また、太陽の位置方向に合わせて太陽光発電パネルの受光面を適宜調整でき、仮設式の簡易な太陽光発電機でありながら効率よく発電できる。
【実施例】
【００１５】
以下、本考案の一実施例を図面に基づいて説明する。
【００１６】
図中の１は、本考案に係る太陽光発電機であって、四本の脚部２を有した支持体３と、該支持体３上部に固着した軸受４にて回動自在に軸支した鋼製の垂直パイプ５と、該垂直パイプ５の略中間部に固着した枢支具６にて回動自在に枢支した鋼製の水平パイプ７と、該水平パイプ７の両側に二枚ずつ左右対称に取り付けた太陽光発電パネル８とを主体に構成している。
【００１７】
前記支持体３の各脚部２の下端部には、例えば不整地や比較的軟弱な地面等にも安定して立設可能なように略矩形状のベース板９を揺動自在に具備している。また、前記脚部２の略中間高さ位置には台座１０を水平に備え、該台座１０上に載置した駆動モータ１１に前記垂直パイプ５の下端部を嵌着し、前記駆動モータ１１の駆動に応じ、垂直パイプ５を図中の矢印ａ方向へ回動自在としている。また、前記水平パイプ７を枢支する枢支具６にも駆動モータ１２を備え、該駆動モータ１２の駆動に応じ、水平パイプ７を図中の矢印ｂ方向へ回動自在としている。また、前記垂直パイプ５の上端部には、風速計１３を備えている。
【００１８】
図中の１４は、前記支持体３を地面に固定するワイヤーであって、該ワイヤー１４の一端部には略フック状の係止具１５を、他端部にワイヤー張設用のターンバックル１６をそれぞれ具備している。また、前記支持体３の上部周囲には、図３に示すように、係止用の透孔１７を有した複数のワイヤー固定金具１８を備え、該ワイヤー固定金具１８の前記透孔１７に対して前記ワイヤー１４一端部の係止具１５を係止する一方、ワイヤー１４他端部のターンバックル１６を前記支持体３周囲の地面に打ち込んだ固定杭１９に係止した後、前記ターンバックル１６を締め付け調整してワイヤー１４を適度に緊張させることにより、支持体３を地面に対して比較的容易にかつ強固に固定支持可能としている。
【００１９】
そして、上記構成の太陽光発電機１を設置するときには、例えば、任意の場所に前記太陽光発電機１の各パーツを搬送後、先ず、支持体３を立設し、その周囲に複数の固定杭１９を打ち込み、該固定杭１９と前記支持体１上部のワイヤー固定金具１８との間に複数本のワイヤー１４を張って強固に固定支持する。次いで、前記支持体３上部の軸受４に垂直パイプ５を貫挿し、該垂直パイプ５の下端部を前記駆動モータ１１に嵌着させて回動自在に軸支する。次いで、前記垂直パイプ５の略中間部に枢支具６を固着し、該枢支具６に水平パイプ７を回動自在に枢支させた後、該水平パイプ７両側に太陽光発電パネル８を左右対称に取り付ける。最後に、電力の入出力線や制御線等を配線し、太陽光発電機１の設置を完了する。
【００２０】
そして、設置を完了した前記太陽光発電機１にて発電を行う際には、各駆動モータ１１、１２を手動又は自動にて駆動制御し、水平パイプ７両側の太陽光発電パネル８を旋回方向及び起伏方向に適宜回動させ、パネル受光面を太陽の現在位置に正対させて発電出力が最大となるように調整する。
【００２１】
このとき、例えば、太陽光発電機１の設置場所の位置情報（経度及び緯度）と、現在日時等から太陽の現在位置（方角及び高度）を割り出し、その割り出した太陽の現在位置に基づいて各駆動モータ１１、１２を自動にて駆動制御して太陽を自動追尾する制御プログラムを具備するようにしてもよいが、作業者が各駆動モータ１１、１２を手動にてその都度駆動させ、パネル受光面を太陽のおおよその位置方向に向けるように調整するようにしてもよい。
【００２２】
また、前記風速計１３で検出する風速が所定速度以上、例えば６〜８ｍ／ｓ以上程度の強風域となれば、太陽の位置にかかわらず、前記駆動モータ１２を手動又は自動にて駆動して、図２に示すように、太陽光発電パネル８を略水平に倒伏させ、パネルの受ける風圧を最小限に抑えて転倒を回避するようにしてもよい。このとき、パネル受光面を上方に向けるように倒伏させると、その間もある程度の発電出力を期待できて好ましい。
【００２３】
一方、前記太陽光発電機１を撤去或いは移設するときには、先ず、電力の入出力線や制御線等を外した後、太陽光発電パネル８、水平パイプ７、垂直パイプ５等を順次取り外す。次いで、前記支持体３周囲に張った各ワイヤー１４のターンバックル１６を緩めて各ワイヤー１４の緊張状態を解除し、ワイヤー１４、固定杭１９を順次取り外し、最後に支持体３を回収して太陽光発電機１の撤去を完了する。
【００２４】
そして、撤去を終えた前記太陽光発電機１を別の場所に移設する場合には、前記各パーツを運搬車両等に積載して移設先に搬送後、前記設置手順にしたがって組み上げて設置を行う。このとき、前記太陽光発電機１は、前記各パーツ単位にてバラバラに分解可能としているため、搬送時には運搬車両等の荷台に各パーツを積み重ねてコンパクトに積載でき、例えば数基分の太陽光発電機１を一度にまとめて搬送して効率よく設置できる。
【００２５】
このように、本考案の太陽光発電機１では、設置において基礎を要せず、また支持体３、垂直パイプ５、水平パイプ７、太陽光発電パネル８等の個々のパーツを現地に運び込んだ上で、その場で簡単に組み上げ、或いは分解でき、設置費用、設置時間を抑えられ、移設も容易に行えて使い勝手がよい。また、太陽光発電機１の周囲にワイヤー１４を張るようにすれば、設置場所が不整地や比較的軟弱な地面等であってもしっかりと固定支持でき、例えば、十分な整地の難しい野外のイベント会場や被災地等における一時的な電力源として特に有効である。
【符号の説明】
【００２６】
１…太陽光発電機                ２…脚部
３…支持体                      ４…軸受
５…垂直パイプ                  ６…枢支具
７…水平パイプ                  ８…太陽光発電パネル
１１、１２…駆動モータ          １４…ワイヤー
１６…ターンバックル            １８…ワイヤー固定金具
１９…固定杭
【図１】
0003209083.tif 000003
【図２】
0003209083.tif 000004
【図３】
0003209083.tif 000005